(57)【要約】【課題】連結具で上下に連結される表示ユニットを、上下方向に容易に組み立て可能な映像表示装置を提供する。【解決手段】箱体状の表示ユニット１を、複数台、上下（縦）方向に連結するために、背後にレール機構６を配置し、表示ユニット１の背後にレール機構６に位置合わされて嵌め込まれるガイドシュー４５が着脱自在に設けられている。レール機構６の上方に釣支機構７を組み込み、表示ユニット１背面に取り付けた係止部５にロープ７２の一端を係止させて吊り上げ、ボルト８で表示ユニット１をレール機構６に固定する。釣支機構７よる表示ユニット１の吊り上げ操作により、作業員は表示ユニット１を上下方向に容易に連結固定することができる。【選択図】      図２
2004354569.tif 000002
【特許請求の範囲】
【請求項１】
多数の表示素子を前面に配列した箱体状の表示ユニットを、連結具を介して、上下方向に複数台連結して構成する映像表示装置において、
前記表示ユニットの背面の左右に、対をなすように取り付けられたガイド機構と、
このガイド機構を案内するとともに、所定の高さ位置で前記表示ユニットを支持固定可能に構成されたレール機構と、
前記表示ユニットの背面に設けられた係止部と、
この係止部にロープまたは鎖を係止して、前記レール機構に案内された前記表示ユニットを吊り上げ移動可能な釣支機構と
を具備することを特徴とする映像表示装置。
【請求項２】
前記ガイド機構は、前記レール機構に嵌め合わされるガイドシューを前記表示ユニットに着脱自在に構成したことを特徴とする請求項１に記載の映像表示装置。
【請求項３】
前記係止部は、前記表示ユニットに着脱自在に構成されたことを特徴とする請求項１または請求項２に記載の映像表示装置。
【請求項４】
前記釣支機構は、チェーンブロックで構成されたことを特徴とする請求項１ないし請求項３のうちのいずれか１項に記載の映像表示装置。
【発明の詳細な説明】
【０００１】
【発明の属する技術分野】
本発明は、多数の表示素子を前面に配列した表示ユニットを、少なくとも上下方向に複数台連結して構成する映像表示装置の改良に関する。
【０００２】
【従来の技術】
屋内外の競技場や各種イベント会場、あるいは繁華街等に面した建物の外壁面（ビルボード）等には、ＬＥＤ（発光ダイオード）等の表示素子を多数配置して表示画面（ディスプレイ）を構成した映像表示装置が据え付けられている。
【０００３】
これら映像表示装置は、競技場やビル等の建造物そのものに恒久的に設置されたり、また各地のイベント会場等で都度組み立て使用されたり、あるいは可搬式に大型車両の荷台に搭載されて使用され、宣伝広告のための表示や客に対する案内表示、あるいは視聴者に対するテレビジョン画像の表示等が行われ、Ｒ（赤）Ｇ（緑）Ｂ（青）の点灯制御により、いわゆるフルカラー表示を可能とするものが多い。
【０００４】
映像表示装置は、大型画面を構成するために、偏平な箱体状の表示ユニットを上下左右へつなぎ合わせて組み立てられるが、全体に歪みや変形が生じることなく、高品質な表示画面を形成することが要求される。
【０００５】
表示ユニットが軽いものであれば、少ない個数で大きな画面を形成することができる。しかしながら、実際にＬＥＤ等を表示素子とした映像表示装置等では、表示ユニット１個の重さが８０ｋｇ前後にも達し、表示ユニットの積み重ねにより大型画面を構成するのは容易でない。
【０００６】
映像表示装置を構成する表示ユニットは、図８及び図９に示すように、ＬＥＤの表示素子１１ａをマトリクス状に多数配列した小型の表示パネル１１を複数個（図８及び図９では６個）組み込み配置して構成される。
【０００７】
図８は従来の表示ユニット１の一部分解斜視図、また図９は図８に示した表示ユニット１を背面側から見た斜視図である。
【０００８】
すなわち、表示ユニット１は、複数個の表示パネル１１が前枠１２に嵌め込まれ、前枠１２は複数本の支柱１３を介して後枠１４に連結固定されている。複数本の支柱１３の内、中間段の左右の支柱１３間には、補強も兼ねた補助支柱１３ａが差し渡されている。
【０００９】
また、最下段の支柱１３及び前枠１２と後枠１４との間には、下方に連結される他の相手側表示ユニット１との連結用をも兼ねた脚部材１５が嵌め込み固定されている。
【００１０】
図９にも示したように、後枠１４は、枠体１４１とその枠体１４１に設けられた開閉扉１４２とで構成され、開閉扉１４２の内側には、表示素子１１ａを駆動制御する制御部１６等が取り付けられている。
【００１１】
また、支柱１３や補助支柱１３ａ、並びに脚部材１５には、上下左右に連結される相手側表示ユニット１との連結用に、いわゆる捻り動作機構を採用した連結具２が取り付け固定されている。
【００１２】
連結具２は、可動部２１と係止部２２とが対をなして構成され、連結される表示ユニット１の一方に、可動部２１または係止部２２のいずれか一方がそれぞれ取り付けられ、上下左右の各相手側表示ユニット１，１との間で嵌脱自在となるように構成されている（例えば、特許文献１参照）。
【００１３】
もっとも、表示ユニット１，１間の連結には、連結具２に代えて、ボルトとナット等を用いて、隣接する表示ユニットの支柱間を位置決め固定することも行われる。
【００１４】
図１０は、連結具２により、上下左右に多数の表示ユニット１が連結されて大型スクリーンを形成した映像表示装置の一部正面図を示したものである。
【００１５】
【特許文献１】
特開２００１−３５０４３４号公報
【００１６】
【発明が解決しようとする課題】
上記のように映像表示装置は、表示ユニット間に連結具が渡着され、連結具により互いに隣接する表示ユニットが連結されて大型画面を形成するように構成されている。
【００１７】
映像表示装置は、表示ユニットの上下左右への連結によって構成されるが、一つの表示ユニットは、重量が８０ｋｇ程度にも達して重いので、作業員が表示ユニットを積み重ねて精度良く連結するのは容易でなく、映像表示装置の組み立てや解体の作業に多くの手間を要したので改善が要望されていた。
【００１８】
そこで、本発明は、特に上下方向への表示ユニットの連結が容易な映像表示装置を提供することを目的とする。
【００１９】
【課題を解決するための手段】
上記従来の課題を解決するために、本発明は、多数の表示素子を前面に配列した箱体状の表示ユニットを、連結具を介して、上下方向に複数台連結して構成する映像表示装置において、前記表示ユニットの背面の左右に、対をなすように取り付けられたガイド機構と、このガイド機構を案内するとともに、所定の高さ位置で前記表示ユニットを支持固定可能に構成されたレール機構と、前記表示ユニットの背面に設けられた係止部と、この係止部にロープまたは鎖を係止して、前記レール機構に案内された前記表示ユニットを吊り上げ移動可能な釣支機構とを具備することを特徴とする。
【００２０】
このように、本発明の映像表示装置によれば、表示ユニットの背面にガイド機構を設け、ガイド機構をレール機構に沿い案内しつつ表示ユニットを釣支機構により吊り上げるとともに、所定高さ位置で表示ユニットをレール機構に支持固定可能に構成したので、作業員は容易かつ精度良く、表示ユニットを組み立て連結することができる。
【００２１】
【発明の実施の形態】
以下、本発明による映像表示装置の一実施の形態を、図１ないし図７を参照して詳述する。なお、図８ないし図１０に示した従来の構成と同一構成には同一符号を付して、詳細な説明は省略する。
【００２２】
図１は本発明の映像表示装置の一実施の形態を示した一部分解斜視図で、図２はその映像表示装置を背後側から見た斜視図である。ただし、図２には上下方向に連なる２個の表示ユニットのみを示し、他の表示ユニットは省略して示している。
【００２３】
図１及び図２に示すように、上下方向に連結される各表示ユニット１は、筐体１７の前面に、多数のＬＥＤ等の表示素子１１ａを配置した複数個（この実施の形態では６個）の表示パネル１１が組み込み配列されている。
【００２４】
また、表示素子１１ａを駆動制御する制御部は、図２に示した開閉扉１７ａの内側面に取り付け固定されている。
【００２５】
表示ユニット１を上下方向に連結するために、筐体１７の上板１７１には、連結具３を構成する連結ピン３１が植立され、この連結ピン３１を受けて上下表示ユニット１，１を着脱自在に連結する係止部３２が、相手側筐体１７の底部に組み込まれている。
【００２６】
連結具３を形成した連結ピン３１及び係止部３２の構成及びその機能を、図３に示した分解斜視図、図４に示した連結具３における嵌め込み形状の説明図、並びに図５に示した連結具３の要部側面図を参照して説明する。
【００２７】
図３に示すように、上板１７１に設けられた連結ピン３１には、中央部の軸回りに溝３１ａによる径小部が形成されている。
【００２８】
一方、連結ピン３１と嵌脱自在に連結される係止部３２は、筐体１７の底板１７２の内側に組み込まれ、連結ピン３１が挿入される位置の底板１７２には貫通孔１７２ａが形成されている。
【００２９】
係止部３２は、枠体３２１と、この枠体３２１内で水平方向にスライド自在となるように組み込まれた係止片３２２とで構成され、枠体３２１の上蓋部には連結ピン３１が挿入自在な貫通孔３２１ａを設けている。
【００３０】
また、係止片３２２は、連結ピン３１に形成された溝３１ａに嵌まり込む板厚を有するとともに、係止片３２２には、下方に広がるようにテーパ部を形成したやや径小の孔とこの径小の孔を含んで、矢印Ｘで示すスライド方向に連なるように形成された径大の孔とからなる瓢箪状の係止孔３２２ａが形成されている。
【００３１】
すなわち、係止片３２２は、貫通孔１７２ａを介して連結ピン３１が係止孔３２２ａの径小の孔内に挿入されたとき、スライドしつつ連結ピン３１を径大な孔内に誘導して連結ピン３１を貫通させるように構成されている。
【００３２】
また、係止片３２２のスライド方向の後端面（図示、右手方向）には、図示のように、一対のピン３２２ｂがスライド方向に向けて突出して設けられ、このピン３２２ｂがコイルばね３２２ｃ内を遊挿するように構成されている。
【００３３】
係止片３２２のピン３２２ｂは、コイルばね３２２ｃを枠体３２１の中に位置させた状態で、枠体３２１の後端面に取り付けられる止め板３２３の貫通孔３２３ａ内を遊挿可能に形成されている。
【００３４】
また、枠体３２１の前端面（図示、左手方向）には、カム３２４が、その軸３２４ａを介して支持ブロック３２４ｂに回動自在に取り付けられ、このカム３２４は係止片３２２の前方に突き出た突出部３２２ｄと接触し、回転するカム３２４の原節に対し、係止片３２２が従節として作用するように構成されている。なお、軸３２４ａの一端部は、図示しないが表示ユニット１の背面側に露出し、作業員が、その露出した軸３２４ａの端部に形成されたスリット３２４ａａにマイナスドライバ等を嵌め込み操作することでカム３２４を回動させることができる。
【００３５】
なお、図３において、枠体３２１はボルト３２１ｂ及びナット３２１ｃにより底板１７２に取り付け固定され、支持ブロック３２４ｂはねじ３２４ｃにより、また止め板３２３はねじ３２３ｂによりそれぞれ枠体３２１に取り付け固定される。
【００３６】
以上説明の連結具３の構成により、連結ピン３１が貫通孔１７２ａを介して係止部３２に挿入されると、連結ピン３１はコイルばね３２２ｃに抗しつつ係止片３２２を後方にスライドさせながら進入する。
【００３７】
なお、この実施の形態では、鋭角化された連結ピン３１の頭部形状と、この連結ピン３１を受け入れる係止片３２２のテーパ部との関係を、図４に示したように、連結ピン３１の鉛直軸から傾斜させたテーパ角度θを約２７度に、係止片３２２の同じくテーパ部における角度αを約３０度になるように形成した。その結果、連結ピン３１を、コイルばね３２２ｃに抗しつつ、係止片３２２の係止孔３２２ａ内に円滑に挿入させることができる。
【００３８】
係止片３２２におけるテーパ部の角度αを約３０度とし、連結ピン３１のテーパ角度θを２７渡より小さな角度（例えば２５度）とすると、それだけ挿入可能領域が狭まってしまうので挿入動作の安定性が失われ、また反対にテーパ角度θを２７度より大きく（例えば２９度）に広げると、挿入時に必要な滑りが得られず、安定した嵌合動作が得られない恐れがある。
【００３９】
いずれにしても、連結ピン３１が係止部３２に嵌り込んだ状態では、コイルばね３２２ｃに付勢された係止片３２２が前方に押し込まれるので、連結ピン３１の溝３１ａに係止片３２２の径小部分の係止孔３２２ａが嵌り込みロックされ、上下各表示ユニット１，１は連結され安定する。図５（ａ）は、連結ピン３１の溝３１ａに係止片３２２における径小部分の係止孔３２２ａが嵌り込んでロックされた状態を示した右側面図である。
【００４０】
次に、作業員が、軸３２４ａを操作し、カム３２４を時計回り方向に９０度回動させると、カム３２４は、コイルばね３２２ｃに抗しつつ係止片３２２を後方にスライドさせるので、係止孔３２２ａ内の径大部分に連結ピン３１はシフトする。
【００４１】
その結果、連結ピン３１を係止孔４２ａから引き抜きつつ下表示ユニット１を上表示ユニット１から離脱させることができる。図５（ｂ）は、カム３２４の９０度回動により、連結ピン３１が係止孔３２２ａの径大部分に位置し、下表示ユニットを上表示ユニットから離脱させることができる状態を示した右側面図である。
【００４２】
なお、図３にも示したように、突出部３２２ｄの先端端面に、回動したカム３２４の突端部が嵌り得るようにＲ状の（丸みを有する）凹部を設けたので、図５（ｂ）に示したカム３２４の回動動作に伴う、カム３２４による係止片３２２の押し込み操作では、カム３２４の突端が、コイルばね３２２ｃに抗しつつ凹部に嵌り込み安定する。従って、作業者は、連結ピン３１の係止部３２からの引き抜き操作を、安定した状態で容易に行うことができる。
【００４３】
さらにこの実施の形態では、図１及び図２に示すように、各表示ユニット１の背面部の上下左右４箇所にガイド機構４が組み込まれている。
【００４４】
ガイド機構４は、その分解斜視図を図６に拡大して示したように、コイルばね４１を収納し内壁に雌ねじを形成した有底筒体４２と、軸方向に鍵状の孔４３ａを貫通させて形成した係合ビス４３と、係合ビス４３に嵌合されるＴ字状のアーム４５ａを備えたガイドシュー４５とから構成されている。
【００４５】
有底筒体４２は係合ビス４３に螺合されるとともに、係合ビス４３はナット４４により表示ユニット１の背面板に取り付け固定される。
【００４６】
また、ガイドシュー４５は、係合ビス４３に着脱自在に組み込まれ、アーム４５ａの一先端部には、後述のレール機構に案内されて回転するローラ４５ｂが取り付けられている。
【００４７】
係合ビス４３の後端部（表示ユニット１側）には、その軸方向から見て４５度の間隔をなして３個のスリット４３ｂが形成され、Ｔ字状のアーム４５ａの一方をコイルばね４１に抗して係合ビス４３の孔４３ａに挿入したとき、Ｔ字状のアーム４５ａの先端部に設けた突起部４５ａａがコイルばね４１に付勢されつつ、スリット４３ｂのいずれかに嵌り込むことができるように構成されている。
【００４８】
なお、図６において、符号４１ａはコイルばね４１と係合ビス４３との間に遊動自在に挿入されたスペーサで、符号４４ａはナット４４により係合ビス４３を表示ユニット１に取り付け固定するためのばね座金（ワッシャ）を示したものである。
【００４９】
そこで、図６に示したように、ガイドシュー４５を矢印Ｒの方向に回動させ、図示波線で示した位置状態において、係合ビス４３に挿入させると、図７（ａ）にその右側面図を示したように、挿入されたガイドシュー４５の先端部はコイルばね４１を押し込み、突起部４５ａａを係合ビス４３の外側（奥）に位置させることができる。
【００５０】
この状態で、ガイドシュー４５はコイルばね４１により手前方向に付勢されるので、ガイドシュー４５を、図６に示した矢印Ｒとは反対方向（すなわち、時計回り方向）に９０度回動させることにより、図７（ｂ）に示した角度で、突起部４５ａａを一つのスリット４３ｂに嵌め込みロックさせることができる。なお、この実施の形態では、スリット４３ｂを４５度の中間角度位置にも設けたので、ガイドシュー４５の着脱操作の中間地点（４５度の傾斜位置）でガイドシュー４５を表示ユニット１に仮止めさせておくことができる。
【００５１】
次に、この実施の形態では、図２に示したように、表示ユニット１の背面の中央上下端部に予めねじ穴５ａ，５ａが設けられていて、このねじ穴５ａを利用して係止部５が着脱可能に構成されている。
【００５２】
さらにまた、この実施の形態では、図１及び図２に示したように、ガイドシュー４５の取り付け位置に対応し、一対のレール６１，６１を立設させたレール機構６が設けられているとともに、レール機構６には、滑車７１にロープ７２を巻回した釣支機構７が組み込み構成され、ロープ７２の先端には、係止部５に係止可能なフック７２ａが接続されている。
【００５３】
従って、フック７２ａが係止部５に係止された状態で、ガイド機構４のガイドシュー４５を操作してローラ４５ｂをレール６１に当接させ、ロープ７２の他端部を引っ張ることにより、表示ユニット１をレール６１に沿って吊り上げ移動させることができる。
【００５４】
そこで、吊り上げた表示ユニット１を、所定高さ位置でレール機構６に支持固定させるため、縦長の貫通孔６１ａが予めレール６１に形成されているともに、表示ユニット１背面のコ字状の取付具（ブラケット）１８にナットが取り付けられ、貫通孔６１ａを通したボルト８が取付具１８のナットにねじ込み固定されるように構成されている。
【００５５】
従って、作業員は、表示ユニット１を上下方向に連結するとき、まず上方に位置させる表示ユニット１から順次、表示ユニット１への係止部５の装着→フック７２ａと係止部５との連結→ロープ７２による表示ユニット１の吊り上げ→所定高さ位置に位置した表示ユニット１のボルト８による固定の各操作の実施により、表示ユニット１を所定高さ位置に取り付け固定することができる。
【００５６】
なお、ボルト８による表示ユニット１の固定操作では、レール６１の貫通孔６１ａはやや縦方向に長く形成されているので、取り付け位置高さ寸法の誤差を吸収して、精度良く取り付け固定することができる。
【００５７】
また、先に吊り上げ固定された表示ユニット１と、次に吊り上げ固定される表示ユニット１とが当接したとき、上下表示ユニット１，１は、上記説明の連結具３により自動的に連結される。
【００５８】
上記説明は、表示ユニット１の組み立て手順を説明したものであるが、組み立てられた表示ユニット１の解体は、上記説明と逆の手順で行うことができる。
【００５９】
もっとも、上下表示ユニット１，１間を引き離すときには、作業員は連結具３のカム３２４をドライバ等を使用して、連結ピン３１が係止部３２から離脱できる状態に操作する必要があることは言うまでもない。
【００６０】
なお、上記説明の実施の形態において、図１及び図２には、表示ユニット１を縦方向に一列に積み重ねるものとして、２本のレールのみを示しているが、左右方向へのレールの増設により、表示ユニット１を、適宜、左右方向に連結することができる。
【００６１】
すなわち、左右方向に隣接するた表示ユニット１の連結機構を図１及び図２を参照して説明すると、左右の表示ユニット１，１の各対向側面に２組の連結具９，９がそれぞれ嵌着自在に渡着されて構成されている。
【００６２】
すなわち、連結具９，９は、相手表示ユニット１との間でフック継手を形成するように、それぞれフック部９１と棒状の係止部９２とが対応するように構成されて取り付けられている。
【００６３】
フック部９１は、六角穴を端面に形成した回動軸にフックが取り付けられて構成されているので、図１に示すように、表示ユニット１の背面側から六角レンチ９３を操作して、フックを相手側係止部９２に係止しての連結、あるいは連結の解除を行うことができる。
【００６４】
また、表示ユニット１の左右側壁面の中央部には、作業員が表示ユニット１を持ち運ぶことができるように、把手１０が設けられている。
【００６５】
なお、上記説明の実施の形態において、レール機構６のレール６１の形状は、断面がＴ字状であるとして説明したが、断面がＨ字状のものでも良い。また、この実施の形態では、ガイドシュー４５にローラ４５ｂを設け、ローラタイプのガイドシューとしたが、ローラタイプに代えてスライディングタイプのガイドシューを採用しても良い。
【００６６】
さらにまた、釣支機構７の引き上げ部に、ロープを巻回すべく滑車７１を使用する旨説明したが、滑車７１に代えて、チェーン（鎖）を用いたいわゆるチェーンブロックを採用し、表示ユニットを容易に吊り上げできるように構成しても良い。
【００６７】
いずれにしても、この実施の形態の映像表示装置は、個々の表示ユニットを縦方向に連結して表示画面を形成するのに、ガイド機構及び係止部をユニット背面に取り付け、ガイド機構のレールへの嵌め込み操作と、釣支機構による当該ユニットの吊り上げ操作を経て固定し、続いて下方の表示ユニットを同様にして吊り上げて上の表示ユニットと連結具を介して連結して固定するように構成されたので、作業員は、複数台の表示ユニットを上下方向に容易に連結固定することができる。
【００６８】
【発明の効果】
本発明の映像表示装置によれば、複数台の表示ユニットを縦方向に容易に連結し得て、高精度に組み立てることができるものであり、実用上得られる効果大である。
【図面の簡単な説明】
【図１】本発明による映像表示装置の一実施の形態を示した要部分解斜視図である。
【図２】図１に示した映像表示装置の要部を背面側から見た斜視図である。
【図３】図１に示した連結具の分解斜視図である。
【図４】図３に示した連結具における嵌め込み形状を説明した正面図である。
【図５】図５（ａ）は、図３に示した連結具の連結ピンが嵌め込まれた状態を示した正面図、図５（ｂ）は、図３に示した連結具において、連結ピンを抜き出し可能な状態を示した正面図である。
【図６】図１に示したガイド機構の分解斜視図である。
【図７】図７（ａ）は、図６に示したガイド機構でアームが挿入された状態を示す右側面図、図７（ｂ）は、図６に示したガイド機構でアームが嵌め込みロックされた状態を示す右側面図である。
【図８】従来の映像表示装置を構成した表示ユニットの斜視図である。
【図９】図８に示した表示ユニットの背面側から見た斜視図である。
【図１０】図８に示した表示ユニットにより連結構成されてなる映像表示装置の正面図である。
【符号の説明】
１  表示ユニット
１１  表示パネル
１１ａ  表示素子（ＬＥＤ）
１７  筐体
３  連結具
３１  連結ピン
３２  係止部
３２２  係止片
３２２ｄ  突出部
３２４  カム
４  ガイド機構
４３  係合ビス
４５  ガイドシュー
４５ｂ  ローラ
５  係止部
５ａ  ねじ穴
６  レール機構
６１  レール
７  釣支機構
７１  滑車７１
７２  ロープ
７２ａ  フック
８  ボルト
９  連結具
９１  フック部
９２  係止部
１０  把手
【図１】
2004354569.tif 000003
【図２】
2004354569.tif 000004
【図３】
2004354569.tif 000005
【図４】
2004354569.tif 000006
【図５】
2004354569.tif 000007
【図６】
2004354569.tif 000008
【図７】
2004354569.tif 000009
【図８】
2004354569.tif 000010
【図９】
2004354569.tif 000011
【図１０】
2004354569.tif 000012